(57)【要約】構造的な建物要素およびこれらを製造する方法により、使用場所にて建造可能な改良された梁が得られる。方法は、中央部梁軸（５５）を形成する第１のフランジ（１６）および第２のフランジ（１８）を提供する工程を含む。複数の個別に形成されたウェブ区域（１２）は、それぞれ収束する側壁（４２）、および側壁（４２）の収束する端部間を延びる中央部壁（４０）を有する。ウェブ区域（１２）は、交互に並べて位置され、隣接するウェブ区域（１２）の中央部壁（４０）は、相互に対して略平行に離間して設けられ、中央部梁軸（５５）に対して横断方向に揺動する。隣接するウェブ区域（１２）の側壁は相互に連結され、ウェブ区域（１２）は第１のフランジ（１６）および第２のフランジ（１８）の両者に連結される。
2011518265.tif 000002
【特許請求の範囲】
【請求項１】
第１のフランジおよび中央部梁軸を形成する第２のフランジを提供する工程と、
それぞれが２つの集束性を備えた側壁と同側壁の集束する端部間を延びる中央部壁とを有する複数の個別に形成されたウェブ区域を提供する工程と、
該ウェブ区域を交互に並べて位置させる工程において、隣接するウェブ区域の中央部壁は、相互に平行に離間して設けられ、中央部梁軸に対して横断方向に揺動する配置工程と、
隣接するウェブ区域の側壁を相互に連結する工程と、
ウェブ区域を第１のフランジおよび第２のフランジの両者に連結する工程とを含むことを特徴とする梁の製造方法。
【請求項２】
前記ウェブ区域は、隣接する側壁の端部領域が重合するように位置されることを特徴とする請求項１に記載の梁の製造方法。
【請求項３】
前記方法は、固定具に隣接する側壁間の重合領域を通過させることにより、隣接するウェブ区域の側壁を連結する工程を含むことを特徴とする請求項２に記載の梁の製造方法。
【請求項４】
隣接するウェブ区域の側壁は相互に溶接されることを特徴とする請求項１に記載の梁の製造方法。
【請求項５】
前記中央部壁は、側壁の上端および下端を越えて延びるガセット区域を備えることと、梁の製造方法は、ガセット区域間にフランジを位置させる工程を含むこととを特徴とする請求項１乃至４のいずれか一項に記載の梁の製造方法。
【請求項６】
前記ガセット区域は、ウェブ区域の中央部壁と同一平面にあることを特徴とする請求項５に記載の梁の製造方法。
【請求項７】
請求項１乃至６のいずれか一項に記載の少なくとも２本の梁を製造する工程と、各梁のフランジの部分を連結部の保持チャネルに挿入することにより相互に対して角度をなして該梁を堅固に連結する工程と、該梁を連結部に固定する工程とを含むことを特徴とする建物要素の製造方法。
【請求項８】
請求項１乃至６のいずれか一項に記載の梁を製造する工程と、フランジの部分をブラケットの保持チャネルに挿入する工程と、前記梁をブラケットに固定する工程とを含むことを特徴とする建物要素の製造方法。
【請求項９】
中央部梁軸を形成する第１のフランジと、
第１のフランジに平行に離間して設けられる第２のフランジと、
該第１のフランジおよび第２のフランジ間に固定され個別に形成される複数のウェブ区域とを備え、各ウェブ区域は、２つの集束する側壁と同側壁の集束する端部間を延びる中央部壁とを有することと、
該ウェブ区域は交互に並べて位置されることと、隣接するウェブ区域の中央部壁は、相互に平行に離間して設けられ、中央部梁軸に対して横断方向に揺動することと、隣接するウェブ区域の集束する側壁は重合することとを特徴とする梁。
【請求項１０】
前記梁は、隣接する側壁間の重合領域を通過する固定具を備えることを特徴とする請求項９に記載の梁。
【請求項１１】
隣接するウェブ区域の側壁は相互に溶接されることを特徴とする請求項９に記載の梁。
【請求項１２】
前記中央部壁は、側壁の上端または下端を越えて延びるガセット区域を備え、フランジがガセット区域間に位置されることを特徴とする請求項９乃至１１のいずれか一項に記載の梁。
【請求項１３】
前記中央部壁は、同中央部壁の上端および下端の間を延びるチャネルまたは内部に折り畳まれる屈曲部を備える補強構造体を有することを特徴とする請求項９乃至１２のいずれか一項に記載の梁。
【請求項１４】
前記中央部壁は、内部に形成される孔を有することを特徴とする請求項９乃至１３のいずれか一項に記載の梁。
【請求項１５】
前記ウェブ区域は、鋼、アルミニウム、プラスチックや、複合材料からなることを特徴とする請求項９乃至１４のいずれか一項に記載の梁。
【請求項１６】
請求項９乃至１５のいずれか一項に記載の２本の梁と、相互に対して角度をなして延びる２対の保持チャネルを有する連結部とを備え、各梁のフランジの部分は、異なる対の保持チャネルに受容され、固定されることを特徴とする建物要素。
【請求項１７】
請求項９乃至１５のいずれか一項に記載の梁と、第１のフランジおよび第２のフランジの端部を受容する一対の保持チャネルを有するブラケットとを備えることを特徴とする建物要素。
【発明の詳細な説明】
【技術分野】
【０００１】
本発明は、建築産業において使用される建築部品に関する。本発明は、限定するものではないが、特に、長距離にわたる屋根を備えた建物の建設のための梁および建築要素に関する。
【背景技術】
【０００２】
柱等の中間の上下方向に伸びる支持部材により妨害されない大きな領域を覆う屋根を要する建造物の例が多くある。一例として、スポーツやイベントのスタジアムが挙げられ、視野に障害のないものはプレミアム価格にて売られている。視野に障害物のあるスタジアムの座席は、障害物のない座席と比較してより安価にて販売されている。この建物の別例は、大型の翼の幅と高い尾部構造体とを有する航空機を収容するために十分に幅広且つ高く建造する必要のある航空機の格納庫である。これは特に、エアバスＡ３８０等のいわゆる「スーパージャンボ」の出現に当てはまる。
【０００３】
比較的低コストにて中間の支持体を使用することなく広い領域を効果的に覆う屋根構造体に対する様々な外形が公知の技術において提案されてきた。例えば、双曲放物面の形状を有する屋根が提案されている。しかしながら、この屋根構造体は、航空機の格納庫に好適なものではない。これは、その形状の大部分が卵形であり、大型の航空機を覆うことができないことによる。
【０００４】
また、様々な材料が建築産業において使用され、小屋組を形成する。例えば、木は、何世紀にもわたって小屋組の形成に使用されているが、大型の現代建築物は建物を拡幅すべく通常鋼の小屋組を使用する。Ｉ字梁（その断面によりこのように示される）は、屋根の強度および剛性を高め、屋根構造体の重量を低減することにも使用されている。Ｉ字梁を形成すべく鋼のウェブが鋼の２つの平行な区域の間に挿入される。この設計により、梁のねじれ強さおよび慣性モーメントを高められるが、中実の矩形の梁と比較して重量は低減される。
【０００５】
梁に使用されるその他の材料は、リン酸塩の保管施設や酸性の保管施設（例、亜鉛めっき工場）等の環境における化学品による腐食、および／または化学反応を防止すべく複合材料、合金、およびプラスチックを含む。
【０００６】
繊維板や積層したベニヤを備えた木材から設計されるＩ字梁も、建築物、特に住居用の建築物において要求が漸増している。これは、梁が中実の梁と比較して軽量化され、湾曲しにくいことによる。しかしながら木製のＩ字梁は保護されていない場合に火に対して強度を迅速に失うという課題を有する。
【０００７】
Berrymanによる特許文献１は、Ｉ字梁に類似し、ボルトや溶接により一体的に連結される区域から形成される屋根の梁を開示する。各区域は２本の平行な矩形の管であって軽量化のために中空である管からなる。金属のウェブは２つの平行な矩形の中空の管に千鳥配列にて溶接される。これにより、より軽量且つ堅固な構造体が得られる。
【０００８】
しかしながら、特許文献２に係る発明の課題は、保管時および搬送時における梁の水のたまりにより腐食速度が加速されることにある。この梁は、塗装されるか亜鉛めっきされた場合においても、保管位置において横たえられ水に暴露されるとさびや剥離が開始される。
【０００９】
特許文献１に係る発明は、梁の寸法の範囲を収容すべく鋼のコイルを異なる幅に切断するか、スリット状に切断し、最終的な形状に形成すべく押圧する必要がある。この工程はコイルを切断すべく付加的な専門の設備を要する。この製造工程は、さらに多数の様々な寸法の梁を在庫として保持する必要がある。さらに、長尺な梁の部分により、梁の輸送のために専門の輸送業者に協力を求める必要がある。したがって、拡幅性能を改善し、腐食を低減し、比較的容易に製造および搬送できる改良された梁に対する要求がある。
【先行技術文献】
【特許文献】
【００１０】
【特許文献１】豪州特許第７１６２７２号明細書
【発明の概要】
【発明が解決しようとする課題】
【００１１】
本発明の課題は、１つ以上の上記課題を解決し、且つ／または軽減し、或いは、消費者に好適な、或いは市場に販売される代替物を提供することにある。本発明の実施例の更なる課題は、高いねじれ強さを有する梁を提供することにある。
【００１２】
本発明の実施例の更なる課題は、比較的容易に製造され、組立現場に容易に搬送可能な要素を備える梁を提供することにある。本発明の実施例の更なる課題は、様々な梁の寸法に対して１つの鋼のコイルを使用可能とすることにある。
【００１３】
本発明の実施例の更なる課題は、収容時、或いは要素に開放された位置に配置された場合に水のたまりによる腐食発生の危険性を低減した梁を提供することにある。本発明の実施例の更なる課題は、高い腐食性を有する環境における使用のための耐腐食性の梁を提供することにある。
【００１４】
本発明の実施例の更なる課題は、構造体の搬送、組み立て、および製造を改良する梁構造体の連結システムを提供することにある。
【課題を解決するための手段】
【００１５】
本発明の一態様において、梁の製造方法は、中央部梁軸を形成する第１のフランジおよび第２のフランジを提供する工程と、それぞれが２つの集束性を備えた側壁と側壁の集束する端部間を延びる中央部壁とを有する複数の個別に形成されたウェブ区域を提供する工程と、ウェブ区域を交互に並べて位置させる工程において、隣接するウェブ区域の中央部壁は、相互に平行に離間して設けられ、中央部梁軸に対して横断方向に揺動する配置工程と、隣接するウェブ区域の側壁を相互に連結する工程と、ウェブ区域を第１のフランジおよび第２のフランジの両者に連結する工程とを含む。
【００１６】
好適に、ウェブ区域は隣接する側壁の端部領域が重合するように位置される。
任意に、方法は、固定具に隣接する側壁間の重合部の領域を通過させることにより、隣接するウェブ区域の側壁を相互に連結する工程を含む。これに代えて、隣接するウェブ区域の側壁は相互に溶接される。
【００１７】
本発明の一実施例において、中央部壁は側壁の上端または下端を越えて延びる複数のガセット区域を含み、梁の製造方法は、複数のフランジをガセット区域の間に位置させる工程を含む。
【００１８】
好適に、ガセット区域はウェブ区域の中央部壁と同一平面上にある。
本発明の別の態様において、方法は、上述した少なくとも２本の梁を製造する工程と、各梁のフランジの部分を連結部の保持チャネルに挿入することにより相互に対して角度をなして梁を堅固に連結する工程と、梁を連結部に固定する工程とを含む。
【００１９】
好適に、方法は、フランジの部分をブラケットの保持チャネルに挿入する工程と、梁をブラケットに固定する工程とを含む。
本発明の更なる別の態様において、梁は、中央部梁軸を形成する第１のフランジと、第１のフランジに平行に離間して設けられる第２のフランジと、第１のフランジおよび第２のフランジ間に固定され個別に形成される複数のウェブ区域とを備える。各ウェブ区域は、２つの集束する側壁と側壁の集束する端部間を延びる中央部壁とを有する。ウェブ区域は交互に並べて位置される。隣接するウェブ区域の中央部壁は、相互に平行に離間して設けられ、中央部梁軸に対して横断方向に揺動する。隣接するウェブ区域の集束する側壁は重合する。
【００２０】
梁は隣接する側壁間の重合部の領域を通過する固定具を含むか、隣接するウェブ区域の側壁は相互に溶接される。
本発明の一実施例において、中央部壁は側壁の上端または下端を越えて延びる複数のガセット区域を含み、複数のフランジは、ガセット区域の間に位置される。
【００２１】
好適に、中央部壁は中央部壁の上端および下端の間を延びる内部に形成されるチャネルや折り目を含む補強構造体を有する。
任意に、中央部壁は内部に形成される穴を有する。
【００２２】
ウェブ区域は鋼、アルミニウム、プラスチックや、複合材料を含む。
本発明は、上述した２本の梁と、相互に対して角度をなして延びる２対の保持チャネルを有する連結部とを備え、各梁のフランジの部分は、異なる対の保持チャネルに受容され、固定される建物要素に及ぶ。
【００２３】
本発明は、さらに、上述した梁と、第１のフランジおよび第２のフランジの端部を受容する一対の保持チャネルを有するブラケットとを備える建物要素にも及ぶ。
【図面の簡単な説明】
【００２４】
【図１】本発明の実施例における梁を示す斜視分解図。
【図２】図１の梁のウェブの１つを示す斜視図。
【図３】図２のウェブを示す断面図。
【図４】図１の梁の組立を示す斜視図
【図５】本発明の別例における梁を示す斜視分解図。
【図６】本発明の別例における梁を示す斜視分解図。
【図７】本発明の更なる別例における梁を示す斜視分解図。
【図８】本発明の一態様において、連結部と図１の梁とを備える垂木の態様の建物要素を示す斜視分解図。
【図９】図８の建物要素の組立を示す斜視図。
【図１０】本発明の一態様において、ブラケットと図１の梁とを備える別例の建物要素を示す斜視分解図。
【図１１】図１０の建物要素の組立を示す斜視図。
【図１２】本発明の一態様において、建物床に固定されるブラケットとブラケットに固定される図１の梁とを備える建物要素を示す斜視図。
【発明を実施するための形態】
【００２５】
例をのみ使用して、添付の図面を参照して本発明の好適な実施例を十分に後述する。
本発明は改良された梁および建物要素、ならびにこれらの製造方法に関する。本発明の要素は、図面の簡潔な輪郭形状に示されるが、当業者が本明細書を考慮して自明である点を過剰に詳細に記載して記載が雑然としたものとならないように本発明の実施例の理解に必要な詳細をのみ示すものである。
【００２６】
本明細書において、第１の、第２の、左の、右の、上の、底の等の形容詞は、形容詞によって記載される所定の相対位置や工程を要求するものではなく、所定の要素や方法の工程を別の要素や方法の工程と区別するためにのみ使用される。「〜を備える」や「〜を含む」等の語は、要素や方法の工程の排他的な組を定義すべく使用されるものではない。むしろ、上記語は、本発明の特定の実施例に含まれる要素や方法の工程の最小限の組を定義するのみである。
【００２７】
図１は、梁１０を示す分解図である。梁１０はウェブ１２の形態の複数のウェブ区域と、第１のフランジ１６と、第２のフランジ１８とを備える。
第１のフランジ１６および第２のフランジ１８は、好適には矩形の断面を備える棒鋼により形成されるが、任意の材料が使用可能である。第１のフランジ１６は、前面２０、背面２２、底面２４、および上面２６を含む。第２のフランジ１８は前面３０、背面３２、上面３４、および底面３６を含む。第２のフランジ１８は、第１のフランジ１６に略平行に離間して設けられ、第１のフランジ１６の底面２４は、第２のフランジ１８の上面３４に面する。第１のフランジ１６および第２のフランジ１８は略同じ長さを有する。
【００２８】
図２は、ウェブ１２を示す斜視図であり、図３はウェブ１２を示す断面図である。各ウェブ１２は、中央部壁４０および中央部壁４０の平面から離間する角度をなす２つの側壁を備える。側壁４２は集束し、中央部壁４０は側壁４２の集束する端部間を延びる。側壁４２の長さは、第１のウェブ１２に隣接して第２のウェブ１２が位置される場合に重合するものとされる。側壁４２はその先端部領域に穴５０を有する。折り目４４は、側壁４２の集束する端部に形成され、ここで、側壁４２は中央部壁４０に至る。
【００２９】
中央部壁４０および各側壁４２の間の角度θは約１３５°である。角度θは、要求に応じて１３０°乃至１５０°の間にあってもよい。ウェブ１２は、第１のフランジ１６に隣接する第１の端部４６と、第２のフランジ１８に隣接する第２の端部４８とを有する。ウェブ１２は、第１の端部４６から第２の端部４８に中央部壁４０の中央部を下方に延びるＶ字状の折り目の形態の補強構造体３８を含む。補強構造体３８は梁１０の剛性を高める他、ウェブ１２とフランジ１６および１８との間に閉じ込められた水分を梁１０から排出し、これにより、梁１０の腐食を防止する。これは、梁１０が水平な位置に収容される場合に特に効果的である。
【００３０】
各ウェブ１２は、１つの鋼板から製造されるが、アルミニウム、プラスチックや、複合材料等のその他の任意の好適な材料を使用して、当業者に周知の一連のロール状プロフィールを形成してもよい。
【００３１】
図４は、梁１０の組立を示す図である。梁１０は、後述するように構成される。ウェブ１２は、複合ウェブ１４を形成すべく横断方向に固定される。第１のフランジ１６および第２のフランジ１８は、複合ウェブ１４によって連結される。第１のフランジ１６および第２のフランジ１８は、中央部梁軸５５を形成する。ウェブ１２の第１の端部４６は、第１のフランジ１６の底面２４に固定され、第２の端部４８は第２のフランジ１８の上面３４に固定される。
【００３２】
これに代えて、ウェブ１２は、隣接するウェブの中央部壁４０が略平行に離間して設けられ、中央部梁軸５５に対して横断方向に揺動し、隣接するウェブ１２の側壁４２が相互に隣接するようにも構成される。隣接するウェブ１２の側壁４２は、穴５０を使用して側壁４２を一体的にリベットにより留め、ボルトにより留め、或いはねじ締めすることにより相互に固定される。これに代えて、ウェブ１２は、所定の位置に溶接され、或いは化学的に接着されてもよい。ウェブ１２は、フランジ１６および１８を複合ウェブ１４に固定するに先立って、相互に対して固定され複合ウェブ１４を形成してもよいものといえる。これに代えて、ウェブ１２は、フランジ１６および１８に固定されるときに、フランジ１６および１８の間の原位置にて相互に対して固定されてもよい。
【００３３】
ウェブ１２の中央部壁４０は、フランジ１６および１８のそれぞれの前面２０と同一平面上にあり、隣接するウェブ１２の中央部壁４０は、フランジ１６および１８の背面２２および３２と同一平面上にある。したがって、隣接するウェブ１２の中央部壁４０は、相互に対して略平行に離間して設けられ、中央部梁軸５５に対して横断方向に揺動する。
【００３４】
図５は、本発明の別例における梁１００を示す斜視分解図である。梁１００は、梁１０に類似するが、梁１００のウェブ１０４の中央部壁１０２に形成される穴１０６の点、および補強構造体３８と比較して反転して設けられる補強構造体３９の点において相違する。
【００３５】
図６は、本発明の更なる別例による梁２００を示す斜視分解図である。梁２００は、梁１０に類似するが、ウェブ２０６の中央部壁２０４と一体的に形成されるガセット区域２０２が設けられる点において相違する。ガセット区域２０２は、側壁４３の対向する端部２０８を超えて延びる。ガセット区域２０２は、中央部壁２０４の同一平面上にある。梁２００の組み立てられた状態において、フランジ１６および１８は、ウェブ２０６のガセット区域２０２の間に受容される。第１のフランジ１６は、ウェブ２０６に、すなわち隣接するウェブのガセット区域２０２の間に、溶接、ろう付け、リベット、或いは接着剤により所定の位置に配置される。
【００３６】
同様に、第２のフランジ１８は、溶接、ろう付け、リベットや、接着剤によりウェブ２０６の所定の位置に配置される。ウェブ２０６は、ウェブ１２に関して上述した方法と同様に相互に固定され、これにより、フランジ１６および１８間に固定される複合ウェブを形成する。ガセット区域２０２により、ウェブ２０６と、フランジ１６および１８との間は堅固に連結される。これは、例えばリベット、ボルト、スポット溶接がガセット区域２０２を直接通してフランジ１６および１８の前面２０および３０ならびに背面２２および３２に行われることによる。
【００３７】
図７は、本発明の更なる別例における梁３００を示す斜視分解図である。梁３００は、梁２００に類似するが、梁１００に対して上述したように穴１０６を含む点において相違する。穴１０６は、梁の強度を極僅かに低減するに留まり梁３００をより軽量化する。
【００３８】
梁１０、１００、２００、３００は、様々な垂木、柱や、その他の支持構造体を形成することに使用される。更に、アーチが、溶接や連結区域の使用等当業者に周知の方法を使用して、複数の梁１０、１００、２００、３００を連結することにより製造される。
【００３９】
図８乃至１２は、建物の骨組みを建造すべく梁１０、１００、２００、３００を連結するために形成される様々な連結部を示す図である。
図８は、２本の梁１０を連結するための垂木連結部４００を示す斜視分解図であり、図９は、垂木連結部４００および梁１０の組立を示す斜視図である。垂木連結部４００により、梁１０は、本発明の屋根の頂角にて一体的に連結される。垂木連結部４００は、中央部柱４０２および柱４０２の対向側から角度をなして延びる複数の対の保持チャネル４０４から構成される。保持チャネル４０４は、断面において対向する各対の保持チャネル４０４の相互に面する側が開放されている略Ｕ字状である。
【００４０】
梁１０は各梁１０を構造体の一対の保持チャネル４０４間に捕捉することにより垂木連結部４００に固定される。構造体において、各梁１０のフランジ１６および１８の端部領域は、それぞれ異なるチャネル４０４に受容される。梁１０は、チャネル４０４の穴４０９ならびにフランジ１６および１８を通過して延びるボルト４０８によって垂木連結部４００に固定される。付加的に、梁１０は、リベット、溶接、はんだ付け、接着剤、或いはその他の好適な連結機構により連結部４００に連結されてもよい。面板４０６は、組み立てられた垂木連結部４００の空隙を覆う。母屋桁補強用板材４１０および筋交い連結部４１２は、組み立てられた垂木連結部４００および梁１０に固定され、屋根構造体を形成する。
【００４１】
図１０は、梁１０を連結する膝連結部５００を示す斜視分解図であり、図１１は、膝連結部５００および梁１０の組立を示す斜視分解図である。膝連結部５００は、２本の梁１０を角度をなして連結する点において垂木連結部４００に類似する。膝連結部５００は、９０°に本発明の屋根のピッチの角度を加算した角度をなすように梁１０を連結する。膝連結部５００は、中央部柱５０２と、柱５０２の対向する側面から角度をなして突出する複数の対のチャネル５０４とからなる。保持チャネル５０４は、断面において対向する各対の保持チャネル５０４の相互に面する側が開放されている略Ｕ字状である。
【００４２】
梁１０は各梁１０を構造体の一対の保持チャネル５０４間に捕捉することにより膝連結部５００に固定される。構造体において、各梁１０のフランジ１６および１８の端部領域は、それぞれ異なる保持チャネル５０４に受容される。梁１０は、チャネル５０４の穴５０９ならびにフランジ１６および１８を通過して延びるボルト５０８によって膝連結部５００に固定される。付加的に、梁１０は、リベット、溶接、はんだ付け、接着剤、或いはその他の好適な連結機構により膝連結部５００に連結されてもよい。面板５０６は、組み立てられた膝連結部５００の空隙を覆う。
【００４３】
図１２は、建物や構造体を支持することに使用される足場に梁１０を連結することに使用される踏み板６００の形態のブラケットを示す斜視図である。図１２は、梁１０に連結された場合の踏み板６００を示す斜視図である。踏み板６００は、通常２つの平行な保持チャネル６０２およびチャネル６０２間の筋交い６０４を備えるＨ字状のものである。チャネル６０２は鋼材からなり、「Ｕ」字状断面を有するが、任意の好適な断面を有する好適な材料が使用されてもよい。
【００４４】
踏み板６００は、当業者に周知のように踏み板の一端を建物の床６０６にコンクリートにより固定することによって、或いはその他の応用可能な固定手段によって建物の足場に固定される。梁１０の基端部のフランジ１６および１８は、踏み板６００の上方に突出する保持チャネル６０２内に取り付けられ、機械的に固定される。
【００４５】
本明細書に記載の実施例は、通常鋼を使用した製造を開示する。鋼は、唯一の好適な材料なのではなく、アルミニウムや、ガラス繊維、プラスチック等のその他の任意の好適な材料や、その他の任意の高張力材料が使用されてもよいものといえる。上述した機械的連結は、例えば、溶接、ボルト、ネジ締め、接着、リベット、或いは、化学的に一体的に接着する材料を含む。
【００４６】
本発明の効果は、大型の構造体の梁を小型の持ち運び可能な要素から組み立てることができることを含む。例えば、ウェブ１２は大量に型押しまたはロール成形され、コンパクトに積層され、建築現場に搬送可能である。
【００４７】
さらに、フランジ１６および１８は、同一であってもよく、例えば冷間ロール成形により大量に効率よく製造され、梁１０が組み立てられる建築現場に搬送されてもよい。
付加的に、構造体３８のような補強構造体により、複合ウェブ１４と、フランジ１６および１８との間に閉じ込められた水分は、ウェブ１２から排出され、腐食やさびの生成が防止される。
【００４８】
本発明の様々な実施例の上記記載は、当業者を対象とした記載である。上記記載は網羅的なものでも開示される一実施形態に本発明を限定するものでもない。上述したように、当業者には本発明の多数の別例および変更が上記記載から明らかであろう。したがって、いくつかの別例が具体的に記述されてきたが、当業者には更なる別例が明らかであるか、比較的容易に想到されるであろう。したがって、本明細書は、開示した本発明の全ての別例、変形、および変更を含むことの他、更なる別例が上記本発明の精神および範囲内にあることを意図したものである。
【図１】
2011518265.tif 000003
【図２】
2011518265.tif 000004
【図３】
2011518265.tif 000005
【図４】
2011518265.tif 000006
【図５】
2011518265.tif 000007
【図６】
2011518265.tif 000008
【図７】
2011518265.tif 000009
【図８】
2011518265.tif 000010
【図９】
2011518265.tif 000011
【図１０】
2011518265.tif 000012
【図１１】
2011518265.tif 000013
【図１２】
2011518265.tif 000014
【国際調査報告】
2011518265.tif 000015
2011518265.tif 000016
2011518265.tif 000017